(57)【特許請求の範囲】
【請求項１】
建築物１の床面２に４角状凹部３を設け、且つ４角状凹部３の相対する左右壁面４，４と前後壁面５，５に床面２よりもやや下方に位置して鋼製の断面コ字状である左右枠６，６と前後枠７，７を固着して４角状凹部３の内壁面に４角状枠杆８を形成すると共に４角状枠杆８の上部に位置する４角状凹部３内に嵌合凹部３１を設け、更に４角状枠杆８を形成した鋼製の断面コ字状である左右枠６，６と前後枠７，７は長手幅広中央板９の上下に折曲上面板１０と折曲下面板１１を有して形成し、又更に左右枠６，６と前後枠７，７の左右壁面４，４と前後壁面５，５への固着は長手幅広中央板９に設けた挿通孔１２に挿通すると共に左右壁面４，４と前後壁面５，５に挿入固着した数個の固定部材１３を介して取付け、更に４角状凹部３内で床面２よりもやや下方に位置して固着した４角状枠杆８の上部で嵌合凹部３１には表面に縞模様突出部１４を設けた数本の横長足場鋼板体１５を並設して載置架設し、又表面に縞模様突出部１４を設けた横長足場鋼板体１５は、横長状上面板１６の長手方向両側を下方に折曲した両側板１７，１７を設けると共に該両側板１７，１７の先端部を内方に折曲した折曲板１８，１８を設け、横長状上面板１６の下方に位置する折曲板１８，１８間に手先挿入間隙部１９を設けて形成し、又更に横長足場鋼板体１５に有した折曲板１８と左右枠６，６及び前後枠７，７により形成した４角状枠杆８に有した折曲上面板１０の数箇所を固定締付け金具２０を介して締付け、且つ固定締付け金具２０は、コ字状挟持金具２１の上部突出杆２２の先端下面に挟持面部２３を設けると共に下部突出杆２４の先端螺孔２５に下部に摘み部２６を備え上部に締付頭部２７を備えた螺杆２８を螺合挿通し、螺杆２８に締付けナット２９を螺着して形成し、且又固定締付け金具２０を介して横長足場鋼板体１５に有した折曲板１８と４角状枠杆８に有した折曲上面板１０との締付けは折曲板１８にコ字状挟持金具２１の上部突出杆２２の先端下面に設けた挟持面部２３を載置すると共に固定締付け金具２０の下部突出杆２４の先端螺孔２５に下部に摘み部２６を備え上部に締付頭部２７を備えた螺杆２８を螺合挿通し、締付けナット２８を螺着した螺杆２７を４角状枠杆８に備えた折曲上面板１０と折曲下面板１１との間に介在し、且つ挟持面部２３と締付頭部２７とにより横長足場鋼板体１５に有した折曲板１８と４角状枠杆８に有した折曲上面板１０とを摘み部２６を介しての螺杆２８の回動により圧着挟持し、更に締付けナット２９の回動により締付けナット２９を折曲上面板１０に圧着したことを特徴とする足場装置。
【発明の詳細な説明】
【０００１】
【産業上の利用分野】
この発明は、建築物に備える空調機等の機械部材を支持する足場装置に関するものである。
【０００２】
【従来の技術】
従来より建築物に備える空調機等の機械部材を建築物の床面に直接置くことなく、その機械部材を支持する足場装置としては多種多用に亘り知られている。
【０００３】
【発明が解決しようとする問題点】
ところで、従来より建築物に備える空調機等の機械部材を建築物の床面に直接置くことなく、その機械部材を支持する足場装置として知られているものは構造が複雑で工作が面倒で安価に提供出来ず、更に地震などによる震動によって機械部材を載置した表面がずれて歪みとなり支持が不安定で安全対策上に好ましくなく、長期に亘り堅牢で好適に使用できない等の欠点があった。
【０００４】
この発明は上記の問題点を解決したものであり、構造が簡単で安価に提供でき、更に建築物に備える重い空調機等の機械部材を支持するに工作が容易であると共に地震などによって機械部材を載置した表面がずれて歪みとなり支持が不安定となることがなく、支持が安定して安全対策上に好ましく、長期に亘り堅牢で好適に使用できる足場装置を得ることを目的としたものである。
【０００５】
【問題点を解決するための手段】
上記の目的を達成するためのこの発明は、建築物１の床面２に４角状凹部３を設け、且つ４角状凹部３の相対する左右壁面４，４と前後壁面５，５に床面２よりもやや下方に位置して鋼製の断面コ字状である左右枠６，６と前後枠７，７を固着して４角状凹部３の内壁面に４角状枠杆８を形成すると共に４角状枠杆８の上部に位置する４角状凹部３内に嵌合凹部３１を設け、更に４角状枠杆８を形成した鋼製の断面コ字状である左右枠６，６と前後枠７，７は長手幅広中央板９の上下に折曲上面板１０と折曲下面板１１を有して形成し、又更に左右枠６，６と前後枠７，７の左右壁面４，４と前後壁面５，５への固着は長手幅広中央板９に設けた挿通孔１２に挿通すると共に左右壁面４，４と前後壁面５，５に挿入固着した数個の固定部材１３を介して取付け、更に４角状凹部３内で床面２よりもやや下方に位置して固着した４角状枠杆８の上部で嵌合凹部３１には表面に縞模様突出部１４を設けた数本の横長足場鋼板体１５を並設して載置架設し、又表面に縞模様突出部１４を設けた横長足場鋼板体１５は、横長状上面板１６の長手方向両側を下方に折曲した両側板１７，１７を設けると共に該両側板１７，１７の先端部を内方に折曲した折曲板１８，１８を設け、横長状上面板１６の下方に位置する折曲板１８，１８間に手先挿入間隙部１９を設けて形成し、又更に横長足場鋼板体１５に有した折曲板１８と左右枠６，６及び前後枠７，７により形成した４角状枠杆８に有した折曲上面板１０の数箇所を固定締付け金具２０を介して締付け、且つ固定締付け金具２０は、コ字状挟持金具２１の上部突出杆２２の先端下面に挟持面部２３を設けると共に下部突出杆２４の先端螺孔２５に下部に摘み部２６を備え上部に締付頭部２７を備えた螺杆２８を螺合挿通し、螺杆２８に締付けナット２９を螺着して形成し、且又固定締付け金具２０を介して横長足場鋼板体１５に有した折曲板１８と４角状枠杆８に有した折曲上面板１０との締付けは折曲板１８にコ字状挟持金具２１の上部突出杆２２の先端下面に設けた挟持面部２３を載置すると共に固定締付け金具２０の下部突出杆２４の先端螺孔２５に下部に摘み部２６を備え上部に締付頭部２７を備えた螺杆２８を螺合挿通し、締付けナット２８を螺着した螺杆２７を４角状枠杆８に備えた折曲上面板１０と折曲下面板１１との間に介在し、且つ挟持面部２３と締付頭部２７とにより横長足場鋼板体１５に有した折曲板１８と４角状枠杆８に有した折曲上面板１０とを摘み部２６を介しての螺杆２８の回動により圧着挟持し、更に締付けナット２９の回動により締付けナット２９を折曲上面板１０に圧着したものである。
【０００６】
【実施例】
以下図面についてこの発明の実施例を説明すると、建築物１の床面２に４角状凹部３を設けたものである（図１参照）。
【０００７】
又、４角状凹部３の相対する左右壁面４，４と前後壁面５，５に床面２よりもやや下方に位置して鋼製の断面コ字状である左右枠６，６と前後枠７，７を固着して４角状凹部３の内壁面に４角状枠杆８を形成すると共に４角状枠杆８の上部に位置する４角状凹部３内に嵌合凹部３１を設け、更に４角状枠杆８を形成した鋼製の断面コ字状である左右枠６，６と前後枠７，７は長手幅広中央板９の上下に折曲上面板１０と折曲下面板１１を有して形成し、又更に左右枠６，６と前後枠７，７の左右壁面４，４と前後壁面５，５への固着は長手幅広中央板９に設けた挿通孔１２に挿通すると共に左右壁面４，４と前後壁面５，５に挿入固着した数個の固定部材１３を介して取付けたものである（図２、図３参照）。
【０００８】
又、４角状凹部３内で床面２よりもやや下方に位置して固着した４角状枠杆８の上部で嵌合凹部３１には表面に縞模様突出部１４を設けた数本の横長足場鋼板体１５を並設して載置架設し、又表面に縞模様突出部１４を設けた横長足場鋼板体１５は、横長状上面板１６の長手方向両側を下方に折曲した両側板１７，１７を設けると共に該両側板１７，１７の先端部を内方に折曲した折曲板１８，１８を設け、横長状上面板１６の下方に位置する折曲板１８，１８間に手先挿入間隙部１９を設けて形成したものである（図４、図５、図６、図７参照）。
【０００９】
又、横長足場鋼板体１５に有した折曲板１８と左右枠６，６及び前後枠７，７により形成した４角状枠杆８に有した折曲上面板１０の数箇所を固定締付け金具２０を介して締付けたものである（図７、図８参照）。
【００１０】
又、固定締付け金具２０は、コ字状挟持金具２１の上部突出杆２２の先端下面に挟持面部２３を設けると共に下部突出杆２４の先端螺孔２５に下部に摘み部２６を備え上部に締付頭部２７を備えた螺杆２８を螺合挿通し、螺杆２８に締付けナット２９を螺着して形成したものである（図９参照）。
【００１１】
又、固定締付け金具２０を介して横長足場鋼板体１５に有した折曲板１８と４角状枠杆８に有した折曲上面板１０との締付けは折曲板１８にコ字状挟持金具２１の上部突出杆２２の先端下面に設けた挟持面部２３を載置すると共に固定締付け金具２０の下部突出杆２４の先端螺孔２５に下部に摘み部２６を備え上部に締付頭部２７を備えた螺杆２８を螺合挿通し、締付けナット２８を螺着した螺杆２７を４角状枠杆８に備えた折曲上面板１０と折曲下面板１１との間に介在し、且つ挟持面部２３と締付頭部２７とにより横長足場鋼板体１５に有した折曲板１８と４角状枠杆８に有した折曲上面板１０とを摘み部２６を介しての螺杆２８の回動により圧着挟持し、更に締付けナット２９の回動により締付けナット２９を折曲上面板１０に圧着したものである（図１０、図１１参照）。
【００１２】
又、４角状凹部３内で床面２よりもやや下方に位置して固着した４角状枠杆８の上部で嵌合凹部３１には表面に縞模様突出部１４を設けた数本の横長足場鋼板体１５を幅広間隙部３２を設け並設して載置架設し、又表面に縞模様突出部１４を設けた横長足場鋼板体１５は、横長状上面板１６の長手方向両側を下方に折曲した両側板１７，１７を設けると共に該両側板１７，１７の先端部を内方に折曲した折曲板１８，１８を設け、横長状上面板１６の下方に位置する折曲板１８，１８間に手先挿入間隙部１９を設けて形成したものである（図８、図１２、図１３参照）。
【００１３】
又、機械部材３０の種類によっては横長足場鋼板体１５で４角状凹部３の上部全面を被覆することなく幅広間隙部３２を設けて横長足場鋼板体１５を並設し、並設した横長足場鋼板体１５に有した折曲板１８と左右枠６，６及び前後枠７，７により形成した４角状枠杆８に有した折曲上面板１０の数箇所を固定締付け金具２０を介して締付けたものである（図８、図１２、図１３参照）。
【００１４】
又、並設した横長足場鋼板体１５の上面には重い空調機等の機械部材３０を載置するものである（図６、図７、図１２、図１３参照）。
【００１５】
又、建築物１の床面２に設けた４角状凹部３には流入した雨水等を排出する為の排出口（図示せず）を設けたものである。
【００１６】
【発明の作用効果】
この発明は上述のような構成であり、建築物１の床面２に機械部材３０を直接置くことなく並設し取付けた横長足場鋼板体１５の上面に重い空調機等の機械部材３０を安定良く装着載置することで安全対策上極めて好適で機械部材３０の運転に支障を来すことがないものである。
【００１７】
ところで、並設した横長足場鋼板体１５の取付けは、建築物１の床面２に４角状凹部３を設け、且つ４角状凹部３の相対する左右壁面４，４と前後壁面５，５に床面２よりもやや下方に位置して鋼製の断面コ字状である左右枠６，６と前後枠７，７を固着して４角状凹部３の内壁面に４角状枠杆８を形成すると共に４角状枠杆８の上部に位置する４角状凹部３内に嵌合凹部３１を設け、この４角状枠杆８に並設した横長足場鋼板体１５を４角状凹部３内の嵌合凹部３１に位置して載置することによって横長足場鋼板体１５が４角状凹部３からはみ出して取付けられることがなく数個の横長足場鋼板体１５の並設させる為の操作を簡単確実に行うことができるものであり、更に安全に取付けることができるものである。
【００１８】
又、４角状枠杆８を形成した鋼製の断面コ字状である左右枠６，６と前後枠７，７は長手幅広中央板９の上下に折曲上面板１０と折曲下面板１１を有して形成し、又更に左右枠６，６と前後枠７，７の左右壁面４，４と前後壁面５，５への固着は長手幅広中央板９に設けた挿通孔１２に挿通すると共に左右壁面４，４と前後壁面５，５に挿入固着した数個の固定部材１３を介して４角状凹部３の内壁面に取付けたことによって建築物１の床面２の４角状凹部３内に４角状枠杆８を安定良く堅牢に取付けることができるものである。
【００１９】
又、横長足場鋼板体１５の表面には縞模様突出部１４を設けたことにより上面に載置した機械部材３０が滑ることなく安定良く取付けることができるものである。
【００２０】
又、表面に縞模様突出部１４を設けた横長足場鋼板体１５は、横長状上面板１６の長手方向両側を下方に折曲した両側板１７，１７を設けると共に該両側板１７，１７の先端部を内方に折曲した折曲板１８，１８を設け、横長状上面板１６の下方に位置する折曲板１８，１８間に手先挿入間隙部１９を設けて形成し、又更に横長足場鋼板体１５に有した折曲板１８と左右枠６，６及び前後枠７，７により形成した４角状枠杆８に有した折曲上面板１０の数箇所を固定締付け金具２０を介して締付けたことによって４角状枠杆８と横長足場鋼板体１５の取付けが強固になるものである。
【００２１】
又、固定締付け金具２０は、コ字状挟持金具２１の上部突出杆２２の先端下面に挟持面部２３を設けると共に下部突出杆２４の先端螺孔２５に下部に摘み部２６を備え上部に締付頭部２７を備えた螺杆２８を螺合挿通し、螺杆２８に締付けナット２９を螺着して形成し、且又固定締付け金具２０を介して横長足場鋼板体１５に有した折曲板１８と４角状枠杆８に有した折曲上面板１０との締付けは折曲板１８にコ字状挟持金具２１の上部突出杆２２の先端下面に設けた挟持面部２３を載置すると共に固定締付け金具２０の下部突出杆２４の先端螺孔２５に下部に摘み部２６を備え上部に締付頭部２７を備えた螺杆２８を螺合挿通し、締付けナット２８を螺着した螺杆２７を４角状枠杆８に備えた折曲上面板１０と折曲下面板１１との間に介在し、且つ挟持面部２３と締付頭部２７とにより横長足場鋼板体１５に有した折曲板１８と４角状枠杆８に有した折曲上面板１０とを摘み部２６を介しての螺杆２８の回動により圧着挟持したことによって固定締付け金具２０の取付けが容易で取扱いが極めて便利である。
【００２２】
又、締付けナット２９の回動により締付けナット２９を折曲上面板１０に圧着したことによって締付けナット２９が妄りに緩むことなく長期に亘り強固に締付けることができるものである。
【００２３】
又、機械部材３０の種類によっては多数個の横長足場鋼板体１５を用いて４角状凹部３の上部全面を被覆することなく、図１２、図１３に図示したように幅広間隙部３２を設けて横長足場鋼板体１５を並設し、並設した横長足場鋼板体１５に有した折曲板１８と左右枠６，６及び前後枠７，７により形成した４角状枠杆８に有した折曲上面板１０の数箇所を固定締付け金具２０を介して締付けることで横長足場鋼板体１５の使用個数を節減することが出来て経済的に好適に工作できるものである。
【００２４】
又、構造が簡単で複雑でなく建築物１の床面２に設けた４角状凹部３へ取付けるための工作手段が容易であり、安価に提供できる等の幾多の産業的効果を奏するものである。
【図面の簡単な説明】
【図１】建築物の一部切欠斜視図である。
【図２】４角状凹部に４角状枠杆を取付けた状態を示した一部切欠斜視図である。
【図３】図２に於けるＡ−Ａ断面図である。
【図４】４角状凹部内で床面よりもやや下方に位置して固着した４角状枠杆に数個の横長足場鋼板体を並設し載置架設した状態を示した一部切欠平面図である。
【図５】足場鋼板体の斜視図である。
【図６】図４に於けるＡ−Ａ断面図である。
【図７】図４に於けるＢ−Ｂ断面図である。
【図８】４角状枠杆と足場鋼板体と固定締付け金具との関係を示した一部切欠斜視図である。
【図９】固定締付け金具の正面図である。
【図１０】４角状枠杆と足場鋼板体と固定締付け金具との関係を示した一部切欠正面図である。
【図１１】４角状枠杆と足場鋼板体とを固定締付け金具で締付けた状態を示した一部切欠正面図である。
【図１２】４角状凹部内で床面よりもやや下方に位置して固着した４角状枠杆に数個の横長足場鋼板体を幅広間隙部を設けて並設し載置架設した状態を示した一部切欠平面図である。
【図１３】図１２に於けるＡ−Ａ断面図である。
【符号の説明】
１  建築物
２  床面
３  ４角状凹部
４  左右壁面
５  前後壁面
６  左右枠
７  前後枠
８  ４角状枠杆
９  長手幅広中央板
１０  折曲上面板
１１  折曲下面板
１２  挿通孔
１３  固定部材
１４  縞模様突出部
１５  横長足場鋼板体
１６  横長状上面板
１７  両側板
１８  折曲板
１９  指先挿入間隙部
２０  固定締付け金具
２１  コ字状挟持金具
２２  上部突出杆
２３  挟持面部
２４  下部突出杆
２５  先端螺孔
２６  摘み部
２７  締付頭部
２８  螺杆
２９  締付けナット
３０  機械部材
３１  嵌合凹部
３２  幅広間隙部
【図１】
0004270775.tif 000002
【図２】
0004270775.tif 000003
【図３】
0004270775.tif 000004
【図４】
0004270775.tif 000005
【図５】
0004270775.tif 000006
【図６】
0004270775.tif 000007
【図７】
0004270775.tif 000008
【図８】
0004270775.tif 000009
【図９】
0004270775.tif 000010
【図１０】
0004270775.tif 000011
【図１１】
0004270775.tif 000012
【図１２】
0004270775.tif 000013
【図１３】
0004270775.tif 000014